(57)【要約】      （修正有）【課題】静電気除去までにかかる距離が短く、加工物に接触、或いは静電気が戻ってくる現象などが発生し難い静電気除去ブレスレットを提供する。【解決手段】主体が、穿設空間を具えてなり、上表面の側面に係合ボタンが設けられ、該係合ボタンがコードボタンの導線に接続し、もう一方の側面に押し圧板２１が設けられ、該押し圧板が内側から反り返り外圧を加えて、主体の側面に導電板が設けられ、双方向導電板２２が、主体の穿設空間内に設けられ、導電上板２２１と導電下板２２２とが互いに接続し、導電上板と導電下板とが上下層に分かれて収納空間を形成し、導電上板と係合ボタンとが接続し、導電下板と導電板とが位置決め部材を設けてなり、導電下板と導電板とが互いに接続して静電気を伝導し、ブレスレットが、静電気を伝導し、端縁部が導電板、導電下板と、主体底面との間に位置決めされ、他端縁部が双方向導電板の収納空間内に穿設され、押し圧板で押し圧され、導電下板に接触する。【選択図】図２
0003151320.tif 000002
【実用新案登録請求の範囲】
【請求項１】
主体と、双方向導電板と、ブレスレットと、を含んでなり、
該主体が、穿設空間を具えてなり、上表面の側面に係合ボタンが設けられ、  該係合ボタンがコードボタンの導線に接続し、もう一方の側面に押し圧板が設けられ、該押し圧板が内側から反り返り外圧を加えて、主体の側面に導電板が設けられ、
該双方向導電板が、主体の穿設空間内に設けられ、導電上板と導電下板とが互いに接続し、導電上板と導電下板とが上下層に分かれて収納空間を形成し、導電上板と係合ボタンとが接続し、導電下板と導電板とが位置決め部材を設けてなり、導電下板と導電板とが互いに接続して静電気を伝導し、
該ブレスレットが、静電気を伝導し、端縁部が導電板、導電下板と、主体底面との間に位置決めされ、他端縁部が双方向導電板の収納空間内に穿設され、押し圧板で押し圧され、導電下板に接触し、
双方向導電板の導電下板がブレスレットから静電気を接収し、ブレスレットの他端縁部が押し圧板で押し圧されて仰向けにはねあがることがなく、双方向に導電し、静電気を除去し、ブレスレットの導電繊維の末端が加工部材に接触することなく、コードボタンが３６０度回転し、導線が分裂、断線しない構造からなることを特徴とする静電気除去ブレスレット。
【請求項２】
前期導電板が、主体の底部に位置するように設けられ、導電板がブレスレットの端縁部に当接し、位置決め部材で導電板と導電下板とが接続され、ブレスレットの端縁部が位置決めされ、該位置決め部材が鋲であることを特徴とする請求項１に記載の静電気除去ブレスレット。
【請求項３】
前記係合ボタンが、鋲接で主体と導電上板に接続することを特徴とする請求項1に記載の静電気除去ブレスレット。
【請求項４】
前記主体底面が、導電板のもう一方の側面に対向する部分に孔を設けてなり、該孔が円形蓋でふさがれることを特徴とする請求項１に記載の静電気除去ブレスレット。
【請求項５】
前記円形蓋の周辺に複数の係合フックが設けられることを特徴とする請求項4に記載の静電気除去ブレスレット。
【請求項６】
前記主体の底部が、底蓋でふさがれることを特徴とする請求項２に記載の静電気除去ブレスレット。
【請求項７】
前記底蓋が、複数の大小位置決め柱を設けてなることを特徴とする請求項６に記載の静電気除去ブレスレット。
【請求項８】
前記主体が、表面に嵌合部を具えてなり、該嵌合部が押し圧板を回動自在に設けるために供することを特徴とする請求項１に記載の静電気除去ブレスレット。
【請求項９】
前記導電上板と導電下板とが、左右に分かれて接続部で接続されることを特徴とする請求項１に記載の静電気除去ブレスレット。
【請求項１０】
前記導電板が、導電下板の上方に設けられ、導電板と導電下板とが位置決め部材でブレスレットの端縁部と接続され、位置決め部材が鋲であることを特徴とする請求項１に記載の静電気除去ブレスレット。
【考案の詳細な説明】
【技術分野】
【０００１】
この考案は、静電気除去リストバンドに関し、特に静電気の伝導を防ぐことができる静電気除去リストバンドに関する。
【背景技術】
【０００２】
従来、ハイテク関連の電子製造メーカーでは、製造する製品に傷がつくことを防ぐため、作業者が自身の静電気を取り除く必要がある。
【０００３】
従来における自身の静電気を取り除く方法は、静電気除去ブレスレットを手につけて、静電気除去手段か、或いは地面に導線をつなぐと、体に発生した静電気がブレスレット、導線を経由して静電気除去手段か、或いは地面に送られ、体に発生した静電気が随時消去される。
【０００４】
よって、電子製品を生産する過程で傷をつけることを防ぐことができる。
【０００５】
しかしながら、ブレスレットを携帯する人の腕の太さはそれぞれ異なっているため、それぞれの携帯者に合わせてブレスレットの長さを調節する必要がある。
【０００６】
図１に開示するように、従来の静電気除去ブレスレット１０は、主体１１と、係合ボタン１２と、導電板１３と、押さえ板１４と、ブレスレット１５と、を含んでなる。
【０００７】
該主体１１は、左右両側に貫通した収納空間を具えてなる。該収納空間は、ブレスレットを穿設するために供する。
【０００８】
本体１１は、上方に係合ボタン１２を鋲接し、該係合ボタン１２の下方（即ち本体１１の底部）が導電板１３に接続する。
【０００９】
また、本体１１の側面には押さえ板１４が設けられる。ブレスレット１５が係合ボタン１２で鋲接される。
【００１０】
ブレスレット１５は、末端付近が押さえ板１４で押し圧されるとともに、ブレスレット１５の末端が突出して露出する。
【００１１】
押さえ板１４は、外側に向けて反り返り内圧し、ブレスレット１５の末端付近を押し圧する。
【００１２】
該ブレスレット１５を外す場合、押し圧板１４をはじいて開き、それぞれの携帯者の腕に合わせてブレスレットの長さを調節することができる。
【００１３】
該押し圧板１４でブレスレット１５を係合してブレスレット１５を位置決めし、携帯者の腕につけることができる。
【００１４】
係合ボタン１２を再び係合すると、導線１６（導線１６はコードボタン１６１で係合ボタン１２に接続する）で静電気除去手段（図示しない）か、或いは地面に接続することができる。
【００１５】
しかしながら、従来の静電気除去ブレスレット１０には改善する点がある。
【００１６】
それぞれの携帯者の腕の太さは異なり、ブレスレット１５の末端１５１の導電繊維は、突出して露出した部分が、加工部材に接触し易く、静電気が再び加工部材に伝送されて製品に傷が発生し易い。
【００１７】
また、導電板１３が一つしか設けられていないため、ブレスレット１５上の静電気は前端か、或いは末端のいずれも導電板１３に導入された導線１６（コードボタン１６１が係合ボタン１２に接続する）で静電気除去手段に接続される。
【００１８】
よって、ブレスレット１５の末端から導電板１３までの距離が長く、好ましい静電気防止効果を得ることができない。
【００１９】
突出して露出したブレスレット１５の末端は、他の製品に引っ掛かり易く、押し圧板１４が内側からはじき開くため、ブレスレット１５が携帯者の腕から緩み外れ易い。
【００２０】
また、突出して露出したブレスレットの末端は、コードボタンが３６０度回転することの障害になり易く、コードボタン付近のコードが断裂し易くなる。
【００２１】
さらに、導電板１３が主体１１の底部に設けられているため、携帯者の皮膚に直接接触する。よって、金属アレルギーの携帯者は、アレルギーが発生し易くなる。
【考案の開示】
【考案が解決しようとする課題】
【００２２】
この考案は、静電気除去までにかかる距離が短く、加工物に接触、或いは静電気が戻ってくるなどが発生し難い静電気除去ブレスレットを提供することを課題とする。
【課題を解決するための手段】
【００２３】
そこで、本考案者は従来の技術に見られる欠点に鑑みて鋭意研究を重ねた結果、主体と、双方向導電板と、ブレスレットと、を含んでなり、
該主体が、穿設空間を具えてなり、上表面の側面に係合ボタンが設けられ、該係合ボタンがコードボタンの導線に接続し、もう一方の側面に押し圧板が設けられ、該押し圧板が内側から反り返り外圧を加えて、主体の側面に導電板が設けられ、
該双方向導電板が、主体の穿設空間内に設けられ、導電上板と導電下板とが互いに接続し、導電上板と導電下板とが上下層に分かれて収納空間を形成し、導電上板と係合ボタンとが接続し、導電下板と導電板とが位置決め部材を設けてなり、導電下板と導電板とが互いに接続して静電気を伝導し、
該ブレスレットが、静電気を伝導し、端縁部が導電板、導電下板と、主体底面との間に位置決めされ、他端縁部が双方向導電板の収納空間内に穿設され、押し圧板で押し圧され、導電下板に接触し、
双方向導電板の導電下板がブレスレットから静電気を接収し、ブレスレットの他端縁部が押し圧板で押し圧されて仰向けにはねあがることがなく、双方向に導電し、静電気を除去し、ブレスレットの導電繊維の末端が加工部材に接触することなく、コードボタンが３６０度回転し、導線が分裂、断線しない構造からなる静電気除去ブレスレットの構造によって課題を解決できる点に着眼し、かかる知見に基づいて本考案を完成させた。
【００２４】
以下、この考案について具体的に説明する。
請求項１に記載の静電気除去ブレスレットは、主体と、双方向導電板と、ブレスレットと、を含んでなり、
該主体が、穿設空間を具えてなり、上表面の側面に係合ボタンが設けられ、該係合ボタンがコードボタンの導線に接続し、もう一方の側面に押し圧板が設けられ、該押し圧板が内側から反り返り外圧を加えて、主体の側面に導電板が設けられ、
該双方向導電板が、主体の穿設空間内に設けられ、導電上板と導電下板とが互いに接続し、導電上板と導電下板とが上下層に分かれて収納空間を形成し、導電上板と係合ボタンとが接続し、導電下板と導電板とが位置決め部材を設けてなり、導電下板と導電板とが互いに接続して静電気を伝導し、
該ブレスレットが、静電気を伝導し、端縁部が導電板、導電下板と、主体底面との間に位置決めされ、他端縁部が双方向導電板の収納空間内に穿設され、押し圧板で押し圧され、導電下板に接触し、
双方向導電板の導電下板がブレスレットから静電気を接収し、ブレスレットの他端縁部が押し圧板で押し圧されて仰向けにはねあがることがなく、双方向に導電し、静電気を除去し、ブレスレットの導電繊維の末端が加工部材に接触することなく、コードボタンが３６０度回転し、導線が分裂、断線しない構造からなる。
【００２５】
請求項２に記載の静電気除去ブレスレットは、請求項１における導電板が、主体の底部に位置するように設けられ、導電板がブレスレットの端縁部に当接し、位置決め部材で導電板と導電下板とが接続され、ブレスレットの端縁部が位置決めされ、該位置決め部材が鋲である。
【００２６】
請求項３に記載の静電気除去ブレスレットは、請求項１における係合ボタンが、鋲接で主体と導電上板に接続する。
【００２７】
請求項４に記載の静電気除去ブレスレットは、請求項１における主体底面が、導電板のもう一方の側面に対向する部分に孔を設けてなり、該孔が円形蓋でふさがれる。
【００２８】
請求項５に記載の静電気除去ブレスレットは、請求項１における円形蓋の周辺に複数の係合フックが設けられる。
【００２９】
請求項６に記載の静電気除去ブレスレットは、請求項２における主体の底部が、底蓋でふさがれる。
【００３０】
請求項７に記載の静電気除去ブレスレットは、請求項６における底蓋が、複数の大小位置決め柱を設けてなる。
【００３１】
請求項８に記載の静電気除去ブレスレットは、請求項１における主体が、表面に嵌合部を具えてなり、該嵌合部が押し圧板を回動自在に設けるために供する。
【００３２】
請求項９に記載の静電気除去ブレスレットは、請求項１における導電上板と導電下板とが、左右に分かれて接続部で接続される。
【００３３】
請求項１０に記載の静電気除去ブレスレットは、請求項１における導電板が、導電下板の上方に設けられ、導電板と導電下板とが位置決め部材でブレスレットの端縁部と接続され、位置決め部材が鋲である。
【考案の効果】
【００３４】
この考案による静電気除去ブレスレットは、他の製品に触れることを防ぎ、静電気をすばやく除去することができるという効果を有する。
【００３５】
また、この考案による静電気除去ブレスレットは、底蓋で底面を覆うため、金属アレルギーの携帯者でも身につけることができるという効果を有する。
【考案を実施するための最良の形態】
【００３６】
この考案は、静電気除去までにかかる距離が短く、加工物に接触、或いは静電気が戻ってくるなどが発生し難い静電気除去ブレスレットであって、主体と、双方向導電板と、ブレスレットと、を含んでなり、
該主体が、穿設空間を具えてなり、上表面の側面に係合ボタンが設けられ、該係合ボタンがコードボタンの導線に接続し、もう一方の側面に押し圧板が設けられ、該押し圧板が内側から反り返り外圧を加えて、主体の側面に導電板が設けられ、
該双方向導電板が、主体の穿設空間内に設けられ、導電上板と導電下板とが互いに接続し、導電上板と導電下板とが上下層に分かれて収納空間を形成し、導電上板と係合ボタンとが接続し、導電下板と導電板とが位置決め部材を設けてなり、導電下板と導電板とが互いに接続して静電気を伝導し、
該ブレスレットが、静電気を伝導し、端縁部が導電板、導電下板と、主体底面との間に位置決めされ、他端縁部が双方向導電板の収納空間内に穿設され、押し圧板で押し圧され、導電下板に接触し、
双方向導電板の導電下板がブレスレットから静電気を接収し、ブレスレットの他端縁部が押し圧板で押し圧されて仰向けにはねあがることがなく、双方向に導電し、静電気を除去し、ブレスレットの導電繊維の末端が加工部材に接触することなく、コードボタンが３６０度回転し、導線が分裂、断線しない構造からなる静電気除去ブレスレットの構造と特徴を詳述するために具体的な実施例を挙げ、図示を参照にして以下に説明する。
【実施例】
【００３７】
図２から図５は、この考案の静電気除去ブレスレットを示したものである。
【００３８】
図面によれば、この考案の静電気除去ブレスレットは、主体２０と、押し圧板２１と、双方向導電板２２と、導電板２３と、ブレスレット３０とを含んでなる。
【００３９】
該主体２０は、長方形に形成し、水平方向に本体２０の両側面から貫通して形成された穿設空間２０１と、押し圧板２１を回動自在に接続するために供する嵌合部２０２とを含んでなる。
【００４０】
該押し圧板２１は内側から反り返り外方向に押し圧し、主体２０の表面の一側面に設けられた係合ボタン２４に対応する。
【００４１】
該係合ボタン２４は鋲接する方法で主体２０に設けられるとともに、双方向導電板２２に接続する。
【００４２】
該双方向導電板２２は、横方向から穿設空間２０１に穿設する。
【００４３】
主体２０の底面の一側面には導電板２３が設けられ、主体２０の底面の導電板２３に対向するもう一方の側面には円形の孔２０３が設けられる。
【００４４】
該孔２０３は、円形蓋２５で閉じることができる。該円形蓋２５の周囲には複数の係合フック２５１が設けられ、該係合フック２５１が孔２０３の内側に係合して閉じられる。
【００４５】
主体２０は底面全部が底蓋２６で閉じられる。該底蓋２６には大位置決め柱２６１と、小位置決め柱２６２とが設けられる。
【００４６】
該小位置決め柱２６２は、主体２０の底部の孔（図示しない）に嵌設される。
【００４７】
該双方向導電板２２は、導電上板２２１と、導電下板２２２とを接続してなる。該導電上板２２１と、導電下板２２２とは、上下層に分かれ、収納空間２２３を形成する。
【００４８】
該導電上板２２１と、導電下板２２２は左右と、上下層に分かれ、接続部２２４で互いに端縁部が接続される。該導電上板２２１は、係合ボタン２４と接続する。
【００４９】
該係合ボタン２４は、鋲接方法で主体２０と導電上板２２１に接続される。
【００５０】
導電下板２２２と導電板２３は位置決め部材（図４参照）２７を設けてなる。該位置決め部材２７は鋲であって、導電下板２２２と、導電板２３との間に静電気を伝導するとともに、導電下板２２２と導電板２３とを主体２０に接続する。
【００５１】
該ブレスレット３０は、金属の成分を具えてなり、導電繊維から形成する。よって、静電気を伝導することができる。
【００５２】
ブレスレット３０は、端縁部３０１（図５参照）が位置決め部材２７で導電板２３と主体２０の底面との間に位置決めされる。
【００５３】
該ブレスレット３０の他端縁部３０２は双方向導電板２２の収納空間２２３内に穿設され、押し圧板２１に押し圧され、ブレスレット３０の他端縁部３０２が導電下板２２２の上方に接触する。
【００５４】
該位置決め部材２７の中空部は、底蓋２６の大位置決め柱２６１を嵌合して位置決めするために供する。
【００５５】
上述の構造を組み合わせてこの考案の静電気除去ブレスレットを形成する。
【００５６】
該ブレスレットを組み合わせる場合、双方向導電板２２を主体２０の収納空間２２３に穿設し、係合ボタン２４で導電上板２２１鋲接し、係合ボタン２４を主体２０上に接続する。
【００５７】
ブレスレット３０を双方向導電板２２の収納空間２２３内に穿設し、ブレスレット３０の端縁部３０１を位置決め部材２７で導電板２３と主体２０の底面との間に位置決めする。
【００５８】
同時に、該位置決め部材２７が双方向導電板２２の導電下板２２２を位置決めする。
【００５９】
ブレスレット３０の他端縁部３０２は双方向導電板２２の収納空間２２３に位置するように設けられ貫通し、ブレスレット３０の他端縁部３０２が押し圧板２１で押し圧され、ブレスレット３０の他端縁部３０２の底面が双方向導電板２２の導電下板２２２の上方に接触する。
【００６０】
円形蓋２５が主体２０の底面の孔２０３に蓋をして、主体２０の底面全部が底蓋２６で蓋されて組み合わせが完成する。
【００６１】
該ブレスレット３０を作業員の腕に携帯する場合、押し圧板２１をはじき開いて押し圧板２１を外側に反り返らせてブレスレット３０の長さを調節した後、再び押し圧板２１でブレスレット３０の他端縁部３０２に外圧を加えてブレスレット３０の他端縁部３０２を押し圧して位置決めする。
【００６２】
適宜に長さを調節した後、ブレスレット３０は位置決めされて移動しないため、携帯者の上に適宜に貼着して緩み、抜け落ちることがない。
【００６３】
係合ボタン２４が導線３１に係合し（図５参照、導線３１に設けられたコードボタン３２が係合ボタン２４に係合する。該コードボタン３２は３６０度回転する。）、静電気除去手段（図示しない）か、或いは地面に接続する。
【００６４】
この状態で作業員は作業を行うことができ、ブレスレット３０の他端縁部３０２（末端）が押し圧板２１で押し圧されて、該押し圧板２１が仰向けに跳ね上がることがない。
【００６５】
よって、ブレスレット３０の導電繊維の末端（他端縁部３０２）が、加工部材に接触することがなく、導線３１への伝導、コードボタン３２の回転を妨げることがなく、導線３１の分裂、断線が発生することがない。
【００６６】
ブレスレット３０の静電気は、係合ボタン２４から排出される。導電下板２２２と導電上板２２１とが同一体で、位置決め部材２７が導電材質であるため、導電板２３と導電下板２２２とが互いに伝導する。
【００６７】
よって、ブレスレット３０の端縁部３０１の静電気がすばやく導電下板２２２に伝導される。
【００６８】
また、ブレスレット３０の他端縁部３０２が押し圧板２１に押し圧されて導電下板２２２上に接触し、双方向導電に達し、静電気を排出する距離が短くすばやく目的を達成することができ、好ましい静電気除去効果を得ることができる。
【００６９】
さらに、従来のブレスレットの他端縁部の静電気がブレスレットを一周してから導電板に達する経路を必要としないため、好ましい導電効果をえることができる。
【００７０】
図６は、この考案の他の実施形態を示したものである。図面によれば、導電板２３は、導電下板２２２の上方に設けられる。
【００７１】
該導電板２３と導電下板２２２との間にはブレスレット３０の端縁部３０１が設けられ、位置決め部材２７で導電板２３、導電下板２２２とブレスレット３０の端縁部３０１とが互いに接続される。
【００７２】
該位置決め部材２７が鋲であって、上述の構造と同様の目的を達成することができる。
【００７３】
この考案は、携帯者の腕のサイズに合わせて調節することができ、ブレスレット３０の導電繊維の末端が突出して露出していないため、加工部材に接触することがなく、静電気が再び加工物にもどることがなく、製品を傷つけることの発生を抑えることができる。
【００７４】
また、導線３１を阻害することや、コードボタン３２が３６０度回転することを防いだり、導線３１が分裂、断線することがない。
【００７５】
双方向導電板２２の導電下板２２２は、ブレスレット３０から接収した静電気を双方向導電板へ伝導し、静電気をすばやく伝送、除去する目的を達成することができる。
【００７６】
ブレスレット３０の末端が下方向に押され、他の製品に引っ掛かることがなく、ブレスレットが携帯者の腕から緩み外れることがない。
【００７７】
主体２０の底面全てが底蓋２６で閉じられ、携帯者の皮膚に触れることがなく、金属アレルギーの携帯者に最適である。
【００７８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００７９】
【図１】従来の静電気除去ブレスレットを示した断面図である。
【図２】この考案の静電気除去ブレスレットを示した分解図である。
【図３】図２に開示する静電気除去ブレスレットを示した斜視図である。
【図４】この考案の静電気除去ブレスレットの係合板をはじき開いた状態示した断面図である。
【図５】この考案の静電気除去ブレスレットの係合板でブレスレットを押し圧した状態示した断面図である。
【図６】この考案の静電気除去ブレスレットの他の実施形態を示した断面図である。
【符号の説明】
【００８０】
１０       静電気除去ブレスレット
１１       主体
１２       係合ボタン
１３       導電板
１４       押さえ板
１５       ブレスレット
１６       導線
１６１     コードボタン
１５１      末端
２０       主体
２０１     穿設空間
２０２     嵌合部
２０３     孔
２１       押し圧板
２２       双方向導電板
２２１     導電上板
２２２     導電下板
２２３     収納空間
２２４     接続部
２３       導電板
２４       係合ボタン
２５       円形蓋
２５１     係合フック
２６       底蓋
２６１     大位置決め柱
２６２     小位置決め柱
２７       位置決め部材
３０       ブレスレット
３０１     端縁部
３０２     他端縁部
３１       導線
３２       コードボタン
【図１】
0003151320.tif 000003
【図２】
0003151320.tif 000004
【図３】
0003151320.tif 000005
【図４】
0003151320.tif 000006
【図５】
0003151320.tif 000007
【図６】
0003151320.tif 000008